(57)【要約】【要  約】【課  題】バーコードラベルを直接取付けることができない小口径の電気融着継手に対しバーコードラベル取付用のプレートを外れることなく確実に取付けることができるようにするための取付構造を提供する。【解決手段】電気融着継手１に断面円形の頭部２を首部３を介して一体形成する一方、バーコードラベル取付用プレートに円形孔１５を形成した突片１６を一体形成する。バーコードラベル取付用プレートの取り付けは、継手１の頭部２に突片１６の円形孔１５を押し込んで強制嵌合することにより行う。  【選択図】  図１１
2005030509.tif 000002
【特許請求の範囲】
【請求項１】
バーコード制御方式の電気融着継手に対するバーコードラベル取付用プレートの取付構造であって、被係止部と、該被係止部に強制嵌合される係止部よりなり、被係止部と係止部のうち、いずれか一方が電気融着継手に、他方がバーコードラベル取付用プレートに一体形成されることを特徴とするバーコードラベル取付用プレートの取付構造。
【請求項２】
バーコード制御方式の電気融着継手に対するバーコードラベル取付用プレートの取付構造であって、電気融着継手に一体形成され、係止孔を備えた突片と、プレートに取付けられ、係止孔に差し込まれる鉤針よりなることを特徴とするバーコードラベル取付用プレートの取付構造。
【請求項３】
上記被係止部と係止部のうち、一方が円形孔で、孔縁が面取りされるか、テーパ状をなし、或いは孔の周りに切れ目が放射状に入れられることを特徴とする請求項１記載のバーコードラベル取付用プレートの取付構造。
【請求項４】
係止孔は、孔縁が面取りされるか、テーパ状をなし、或いは孔の周りに切れ目が放射状に入れられることを特徴とする請求項２記載のバーコードラベル取付用プレートの取付構造。
【請求項５】
バーコード制御方式の電気融着継手に対するバーコードラベル取付用プレートの取付構造であって、電気融着継手とバーコードラベル取付用プレートを連結し、両者と共に一体成形される連結部を有することを特徴とするバーコードラベル取付用プレートの取付構造。
【発明の詳細な説明】
【技術分野】
【０００１】
本発明は、バーコード制御方式の電気融着継手に対するバーコードラベル取付用プレートの取付構造に関する。
【背景技術】
【０００２】
電気融着時の電気融着継手の制御方式として知られるものに、電圧、電流、通電時間等の通電制御情報を含む継手情報を記録したバーコードから通電制御情報等を読み取って電気融着時の通電制御を行うバーコード制御方式がある。
【０００３】
バーコードは通常ラベルにプリントされ、ラベルが継手に貼付されているが、小口径の継手で、継手上にラベルを貼付するだけのスペース上の余裕がないものにおいては、ラベルを貼付したプレートをバンドで継手に巻き付けて締着することにより取付けたものも知られる。
【発明の開示】
【発明が解決しようとする課題】
【０００４】
ラベルが貼付されるプレートをバンドにより継手に巻付けて締着する方法では、バンドが弛んだり、滑り落ちて継手から外れるおそれがあり、取付けに確実性を欠く嫌いがある。
【０００５】
本発明は、バーコードラベルを直接取付けることができない電気融着継手に対し、バーコードラベル取付用のプレートを外れることなく確実に取付けることができるようにするための取付構造を提供しようとするものである。
【課題を解決するための手段】
【０００６】
すなわち本発明は、バーコード制御方式の電気融着継手に対するバーコードラベル取付用プレートの取付構造であって、被係止部と、該被係止部に強制嵌合される係止部よりなり、被係止部と係止部のうち、いずれか一方が電気融着継手に、他方がバーコードラベル取付用プレートに一体形成されることを特徴とする。
【０００７】
本発明によると、係止部を被係止部に押し込んで強制嵌合することによりプレートが継手に取付けられ、強制嵌合したのちにおいて、係止部は被係止部から容易に抜け出ることはない。
【０００８】
ここで被係止部及び係止部としては、例えば被係止部と係止部のうち、いずれか一方が先端部に膨出した頭部、例えば断面円形、楕円形、三角形、放物線形、矢印形等の頭部よりなり、他方が該頭部が強制嵌合される孔、溝、隙間等よりなるものを例示することができる。
【０００９】
別の発明は、バーコード制御方式の電気融着継手に対するバーコードラベル取付用プレートの取付構造であって、電気融着継手に一体形成され、係止孔を備えた突片と、プレートに取付けられ、係止孔に差し込まれる鉤針よりなることを特徴とする。
【００１０】
本発明によると、プレートの鉤針を継手に突出形成される突片の係止孔に差し込むと、鉤針が変形しながら係止孔に挿入され、挿入後は復元して係止孔の孔縁に引掛かることにより抜け止めされて連結される。
ここで鉤針としては、例えば衣類に材質、商品名、メーカ名、値段等を表示したタグを取り付けるための針金ないし糸状をなす樹脂製のものが代表的な例として挙げられる。
【００１１】
以下、上記係止部、被係止部、係止孔、鉤針等の具体例を例示する。
図１は、継手１に断面円形の頭部２を首部３を介して一体形成した例、図２は同じく継手１に断面略三角形の頭部４を首部５を介して一体形成し、頭部４と首部５が断面矢印形をなす例、図３は、継手１に彎曲した突片６を向合わせに突出して突片６間に隙間を形成した例、図４は継手１に彎曲した突片７ａ、７ｂを向い合わせに先端部が重なるようにして突出させ、突片７ａ、７ｂ間に隙間を形成した例、図５は、継手１に円形孔８を形成した突片９を一体形成した例、図６は、継手１のターミナル１１の外周に突起１２を、図７は同じくターミナル１１に断面三角形の突起１３を一体形成した例をそれぞれ示すもので、図６及び図７に示す突起１２及び１３は、図示する例では、ターミナル１１の外周に環状に形成されているが、同一円周上に適当な間隔でイボ状の突起を複数或いは等間隔ないし断続的に多数形成してもよい。
【００１２】
図８は、バーコードラベルが取付けられるプレート１４に円形孔１５を形成した突片１６を一体形成した例、図９は、同じくプレート１４側に円形孔１７を形成した突片１８を一体形成した例、図１０はプレート１４の一端に円形孔１９を形成した例をそれぞれ示し、各円形孔８、１５、１７、１９を上述する例でいえば、図１に示す継手１の頭部２、図２に示す頭部４、或いは図６及び図７に示す突起１２及び１３を備えたターミナル１１に強制嵌合することによりプレート１２が継手１に連結されるようになっている。
【００１３】
図１１は、図１に示す継手１の頭部２に図８ないし図１０に示すプレート１４の円形孔１５又は１７を押し込んで強制嵌合した状態を示す。
図１２は、図６又は図７に示すような突起１２又は１３を形成した継手１０のターミナル１１に、図８ないし図１０に示すプレート１４の円形孔１５、１７又は１９を押し込んで強制嵌合することによりプレート１４を取付けた例を示すものである。
【００１４】
図１３は、プレート２１に円形断面の頭部２２を首部２３を介して一体形成した例、図１４は、プレート２５にＴ形の鉤針２６を一体形成した例、図１５は、イ字形をなす鉤針２８を一体形成した例、図１６は矢印状をなす鉤針２９を一体形成した例を示し、各鉤針２６、２８、２９は、それぞれタグを衣類に取付けるのに使用されるものと同じ材質のもので形成される。
【００１５】
プレート２１又は２５を継手１に取り付けるときには、上記頭部２２或いは鉤針２６、２８、２９を上述の例でいえば、図３に示す突片６間、図４に示す突片７ａ、７ｂ間より押し込んで突片６又は７ａ、７ｂ間の隙間に嵌合させるか、或いは図５に示す突片９の円形孔８に強制嵌合し、又は差し込むことによって行われる。
【００１６】
図１７〜図１９は、上述する円形孔８、１５、１７、１９の好ましい態様を示すもので、図１７は、円形孔の孔縁を面取りした例、図１８は孔をテーパ状に形成した例、図１９は、孔の周りに切れ目３１を放射状に入れた例を示している。いずれの例においても、例えば上述の頭部２、４、２２の嵌合又は鉤針２６、２８、２９の差込みが面取りされた孔縁、テーパ状の孔に案内され、また切れ目３１により孔を拡げて押し込むことにより容易に行うことができる。
【００１７】
更に別の発明は、頭部の嵌合が容易に行えるようにしたもので、上述する発明の被係止部と係止部のうち、一方が円形孔で、孔縁が面取りされるか、テーパ状をなし、或いは孔の周りに切れ目が放射状に入れられることを特徴とし、
更に別の発明は、上記発明の係止孔は、孔縁が面取りされるか、テーパ状をなし、或いは孔の周りに切れ目が放射状に入れられることを特徴とする。
【００１８】
他の発明は、バーコード制御方式の電気融着継手に対するバーコードラベル取付用プレートの取付構造であって、電気融着継手とバーコードラベル取付用プレートを連結し、両者と共に一体成形される連結部を有することを特徴とする。
本発明によると、バーコードラベル取付用プレートを電気融着継手に取り付ける作業が不要となる。
図２０は、電気融着ソケット継手３３と、バーコードラベル取付用プレート３４を連結部３５を介して一体成形した例を示す。
【発明の効果】
【００１９】
請求項１に係わる発明においては、係止部と被係止部を強制嵌合することにより、請求項２に係わる発明においては、鉤針を係止孔に差し込むことにより、バーコードラベル取付用プレートを電気融着継手に容易には外れることのないように取付けることができる。
【００２０】
請求項３及び４に係わる発明によると、円形孔への嵌合又は係止孔への挿入が容易に行えるようになる。
請求項５に係わる発明によると、バーコードラベル取付用プレートを電気融着継手と一体成形することにより、バーコードラベル取付用プレートを取付ける作業が不要となる。
【図面の簡単な説明】
【００２１】
【図１】継手側に設けられる被係止部又は係止部の一例を示す図。
【図２】被係止部又は係止部の別の例を示す図。
【図３】被係止部又は係止部の更に別の例を示す図。
【図４】被係止部又は係止部の更に別の例を示す図。
【図５】被係止部又は係止部の他の例を示す図。
【図６】ターミナルに設けた係止部又は被係止部の一例を示す図。
【図７】ターミナルに設けた係止部又は被係止部の別の例を示す図。
【図８】プレート側に設けた係止部又は被係止部の一例を示す図。
【図９】プレート側に設けた係止部又は被係止部の別の例を示す図。
【図１０】プレート側に設けた係止部又は被係止部の更に別の例を示す図。
【図１１】継手の頭部にプレートの円形孔を嵌合した状態を示す断面図。
【図１２】継手のターミナルにプレートを取付けた状態を示す図。
【図１３】プレート側に設けた係止部又は被係止部の他の例を示す図。
【図１４】プレートに鉤針を形成した例を示す図。
【図１５】プレートに鉤針を形成した別の例を示す図。
【図１６】プレートに鉤針を形成した更に別の例を示す図。
【図１７】円形孔の好ましい例を示す断面図。
【図１８】円形孔の好ましい別の例を示す断面図。
【図１９】円形孔が形成される部分の好ましい例を示す平面図。
【図２０】プレートと継手を一体成形した例を示す図。
【符号の説明】
【００２２】
１、１０・・継手
２、４、２２・・頭部
３、５、２３・・首部
６、７ａ、７ｂ、９、１６、１８・・突片
８、１５、１７、１９・・円形孔
１２、１３・・突起
１４、２１、２５・・プレート
２６、２８、２９・・鉤針
３１・・切れ目
３３・・ソケット継手
３４・・バーコードラベル取付用プレート
３５・・連結部
【図１】
2005030509.tif 000003
【図２】
2005030509.tif 000004
【図３】
2005030509.tif 000005
【図４】
2005030509.tif 000006
【図５】
2005030509.tif 000007
【図６】
2005030509.tif 000008
【図７】
2005030509.tif 000009
【図８】
2005030509.tif 000010
【図９】
2005030509.tif 000011
【図１０】
2005030509.tif 000012
【図１１】
2005030509.tif 000013
【図１２】
2005030509.tif 000014
【図１３】
2005030509.tif 000015
【図１４】
2005030509.tif 000016
【図１５】
2005030509.tif 000017
【図１６】
2005030509.tif 000018
【図１７】
2005030509.tif 000019
【図１８】
2005030509.tif 000020
【図１９】
2005030509.tif 000021
【図２０】
2005030509.tif 000022